(57)【要約】  【課題】外観を損ねることなくスライド操作装置を操作パネルに安定的に固定することができるスライド制御盤を提供する。  【解決手段】スライド操作装置10が並列状態で操作パネル２に取付けられたスライド制御盤1であって、各スライド操作装置10を操作パネル２に取り付けるための支持部70が、複数のスライド操作装置10の並列方向に延びたベース部71と、該ベース部71から延び個々のスライド操作装置10に対して結合される支承部72とを備え、スライド操作装置10は、設定部ユニット15と、該設定部ユニット15を支承部72に結合するための結合部64,35とを備え、結合部64,35は、設定部ユニット15から両側方に突出し、支承部72と結合部64,35とは、操作パネル２の裏面側から適用される固着手段によって結合されていることを特徴とするスライド制御盤1。【選択図】図４
2010226316.tif 000002
【特許請求の範囲】
【請求項１】
スライド可能な操作子を有した複数のスライド操作装置が並列状態で操作パネルに取り付けられているスライド制御盤であって、
各スライド操作装置を前記操作パネルに取り付けるための支持部を備え、
該支持部は、複数の前記スライド操作装置に共通に用いられるように該複数のスライド操作装置の並列方向に延び前記操作パネルに固着されたベース部と、該ベース部から延び個々の前記スライド操作装置に対して個別に結合される支承部とを備えており、
前記スライド操作装置は、音響制御に関する設定を行なう設定部ユニットと、該設定部ユニットを前記支承部に結合するための結合部とを備え、
前記結合部は、前記設定部ユニットからスライド装置並列方向における両方向に突出しており、
前記支承部と結合部とは、前記操作パネルの裏面側から適用される固着手段によって結合されていることを特徴とするスライド制御盤。
【請求項２】
前記スライド操作装置がさらに、前記設定部ユニット外に配置され該設定部ユニットで処理される位置信号を授受する基板を備え、
前記設定部ユニットは、前記操作子をスライド可能に支持する設定部本体と、該設定部本体に前記基板を結合するための取付部とを備え、
該取付部に前記結合部が付設されることにより、該取付部及び結合部を介して前記設定部本体及び基板が短手方向に並設され前記操作パネルに取り付けられていることを特徴とする請求項１に記載のスライド制御盤。
【請求項３】
隣り合う前記設定部ユニットの相互に向き合う面から対面方向へ突出した前記結合部が、操作子スライド方向において位置を異ならせて設けられており、これらの結合部が操作子スライド方向に見て少なくとも一部が重なり合って位置するように、隣り合う前記スライド操作装置が接近して配置されていることを特徴とする請求項１又は２に記載のスライド制御盤。
【請求項４】
前記結合部が、１つの前記設定部ユニットに対し、操作子スライド方向の一端側と他端側において、スライド装置の短手方向の一方と他方に設けられていることを特徴とする請求項３に記載のスライド制御盤。
【請求項５】
前記操作子の位置に対応して発光表示を行なう表示器が操作子スライド方向に沿って設けられており、該表示器は、接近配置された隣り合うスライド操作装置の間に配置されていることを特徴とする請求項３又は４に記載のスライド制御盤。
【発明の詳細な説明】
【技術分野】
【０００１】
本発明は、電子楽器や音響設備のパラメータ設定を行なうためのスライド操作装置を複数備えたスライド制御盤に関する。
【背景技術】
【０００２】
スライド制御盤としては、フェーダ等のスライド操作装置を複数備えたミキサが多用されている。フェーダは、箱状の本体の上部に設けた摘み部等の操作子をスライドすることにより、スライド位置に応じて音量、音質、エフェクト等の制御パラメータの設定を行なうためのものであり、操作子のスライドを手動で行なうものや、これにモータ駆動を加えたものがある。フェーダは、ミキサの操作パネルの裏面側に並列状態で取り付けられる。
【０００３】
従来、フェーダ等のスライド操作装置は、ミキサ等のスライド制御盤の操作パネルに対し、多くの場合、操作パネルの表面側から螺入される取付けねじにより取り付けられていた。例えば、特許文献１に示されたスライド操作装置は、その上端部に設けられた止め金具が操作パネルの裏面に位置するようにして、操作パネルの表側から取付けが行なわれる。
【０００４】
一方、操作パネルの裏面側から取付を行なうものとして、ミキサの操作パネルの裏面側に断面Ｚ字状又はコ字状等の板状の取付金具を溶接し、この取付金具に対して基板を裏面側からねじ止めする構造が示されている。
【先行技術文献】
【特許文献】
【０００５】
【特許文献１】特開２００６−４９３０２号公報
【特許文献２】特開２０００−２６９６６８号公報
【発明の概要】
【発明が解決しようとする課題】
【０００６】
しかしながら、操作パネルの表面側からスライド操作装置を取り付けた場合は、螺入された取付けねじのヘッド部が操作パネルの外部から見えることとなり、スライド制御盤の外観を損ねる。
【０００７】
一方、操作パネルの裏面側からの取付けを行なう特許文献２では、スライド操作装置の長手方向の延長上でねじ止めしている。スライド操作装置は、一般に限られたスペース内に複数が並列されるので、幅が狭くされている。その結果、スライド操作装置の長手方向の延長上でのねじ止めでは、長手方向を横切る方向に作用する力に対する固定の安定性が不十分となることがある。特に、スライド操作装置は、手操作で操作子をスライドさせる場合に、その長手方向（スライド方向）を横切る方向の力（ローリング力）を受けることがあるので、これに対する固定の安定性が求められる。
【０００８】
操作パネルの表側からの取付けを行なう構造においても、ねじ止め位置は、スライド操作装置の上端部に位置する取付金具に対して行なわれるので、同様に固定の安定性が不十分となることがある。特に、表側からの取付の場合は、外観を低下させないように、取付けビスの大きさや数が制限されるので、その対処が困難である。
【０００９】
本発明は、このような従来技術の問題を解決し、外観を損ねることなくスライド操作装置を操作パネルに安定的に固定することができるスライド制御盤を提供することを目的とする。
【課題を解決するための手段】
【００１０】
本発明は、前記目的を達成するために、スライド可能な操作子23,24を有した複数のスライド操作装置10が並列状態で操作パネル２に取り付けられているスライド制御盤1であって、各スライド操作装置10を前記操作パネル２に取り付けるための支持部70を備え、該支持部70は、複数の前記スライド操作装置10に共通に用いられるように該複数のスライド操作装置10の並列方向に延び前記操作パネル２に固着されたベース部71と、該ベース部71から延び個々の前記スライド操作装置10に対して個別に結合される支承部72とを備えており、前記スライド操作装置10は、音響制御に関する設定を行なう設定部ユニット15と、該設定部ユニット15を前記支承部72に結合するための結合部64,35とを備え、前記結合部64,35は、前記設定部ユニット15からスライド装置並列方向における両方向に突出しており、前記支承部72と結合部64,35とは、前記操作パネル２の裏面側から適用される固着手段によって結合されていることを特徴とするスライド制御盤1を提供するものである。
［作用］
【００１１】
（１）上記のスライド制御盤は、複数のスライド操作装置が支持部を介して操作パネルに並列状態で取り付けており、該支持部は、複数の前記スライド操作装置10に共通に用いられるようにスライド操作装置の並列方向に延びるベース部が操作パネルに固着され、該ベース部に設けられた支承部が個々のスライド操作装置に設けられた結合部に個別に結合される。そして、支承部と結合部とは、操作パネルの裏面側から適用される固着手段により結合される。したがって、個々のスライド操作装置は、支持部の支承部と操作パネルの結合部とを固着手段によって結合することにより、操作パネルの裏面側から該操作パネルに取り付けることができる。その結果、固着手段が操作パネルの表面側へ現れず、外観を損ねない。
【００１２】
また、前記結合部は、前記設定部ユニットからスライド装置並列方向における両方向に突出しているので、結合箇所間のスパンを大きくとることができ、操作パネルへの固定が安定する。これは特に、幅が狭い設定部ユニットに有効であり、手操作で操作子をスライドさせる場合にスライド方向を横切る方向の力（ローリング力）が作用しても、これに対する固定の安定性が確実に得られる。
【００１３】
さらに、支持部のベース部は、スライド操作装置の並列方向に延びるように設けられるので、操作パネルにおける該並列方向の補強をなすという作用も得られる。スライド制御盤には、ディスプレーやユニット化した操作子セット等も取り付けられることがあり、この場合は、操作パネルにおけるそれらの取付け箇所には窓状の開口部が設けられる。この開口部は操作パネルの強度を低下させるので、従来は開口部付近を避けてスライド操作装置を取り付ける必要があった。これに対し、本発明では、支持部のベース部が操作パネルの補強作用をなすので、開口部付近への取付けも可能となる。すなわち、ベース部が開口部の補強をすることにより、強度低下が避けられる。これにより、スライド制御盤の設計の自由度が高まる。また、この補強作用に基づき、操作パネルのパネル材として薄いものを使用することも可能となり、これにより製造コストを低減することができる。
【００１４】
（２）前記（１）のスライド制御盤は、前記スライド操作装置10がさらに、前記設定部ユニット15外に配置され該設定部ユニットで処理される位置信号を授受する基板40,40Aを備え、前記設定部ユニット15は、前記操作子23,24をスライド可能に支持する設定部本体20と、該設定部本体20に前記基板40,40Aを結合するための取付部61,62t,214tとを備え、該取付部61,62t,214tに前記結合部64,35が付設されることにより、該取付部61,62t,214t及び結合部64,35を介して前記設定部本体20及び基板40,40Aが短手方向（長手方向を横切る方向）に並設され前記操作パネル２に取り付けられているものとすることができる。
【００１５】
このように、基板が、設定部ユニット外に備えられることにより、設定部ユニット内に備えられる場合のような寸法制限を受けることなく大きな面積を確保することができる。また、基板は、設定部ユニット外の空気に触れることができるので、放熱効率が良い。その結果、スライド操作装置の並列間隔を狭くして配置スペースを小さくすることができる。さらに、設定部ユニットの躯体と基板とが取付部に保持されることにより確実に固定され、該取付部に付設した結合部によって操作パネルへの取付けが行なわれるので、設定部本体及び基板は、操作パネルに堅固に固定されることとなる。
【００１６】
（３）前記（１）又は（２）のスライド制御盤は、隣り合う前記設定部ユニット15の相互に向き合う面から対面方向へ突出した前記結合部64,35が、操作子スライド方向において位置を異ならせて設けられており、これらの結合部64,35が操作子スライド方向に見て少なくとも一部が重なり合って位置するように、隣り合う前記スライド操作装置が接近して配置されているものとすることができる。これにより、スライド操作装置を密に配置し、しかも操作パネルへの固定の安定性が得られる。
【００１７】
（４）前記（３）のスライド制御盤は、前記結合部64,35が、１つの前記設定部ユニット15に対し、操作子スライド方向Sの一端側と他端側において、スライド操作装置短手方向の一方と他方（すなわち、スライド装置並列方向Uに異なる側）に設けられているものとすることができる。これにより、少ない結合箇所で効率的に安定した固定が可能となる。
【００１８】
（５）前記（３）又は（４）のスライド制御盤は、前記操作子23,24の位置に対応して発光表示を行なう表示器50が操作子スライド方向に沿って設けられており、該表示器50は、接近配置された隣り合うスライド操作装置10.10Aの間に配置されているものとすることができる。これにより、表示器を含めた密な配置が可能となる。
【発明の効果】
【００１９】
上記のように、本発明によれば、外観を損ねることなくスライド操作装置を操作パネルに安定的に固定し得るスライド制御盤を提供することができる。
【図面の簡単な説明】
【００２０】
【図１】本発明の一実施形態に係るスライド制御盤の平面図である。
【図２】図１の側面図である。
【図３】図１のスライド制御盤のスライド操作装置を分解して示す斜視図である。
【図４】図１のスライド制御盤の要部の縦断側面図である。
【図４Ａ】図４上部に位置する支持部を中心に拡大して示す図である。
【図５】図４の一部の拡大図であり、スライド制御盤中の表示装置を中心に示す。
【図６】図５に示された表示装置の要部の斜視図である。
【図７】図１のスライド制御盤における操作パネル及び支持部の一部を示す斜視図である。
【図８】図７における支持部を中心に拡大して示す斜視図である。
【図９】本発明の他の実施形態に係るスライド制御盤におけるスライド操作装置の設定部本体と保持部材とを分解して示す図である。
【図１０】図１の実施形態の変形例を示す斜視図である。装置を分解して示す斜視図である。
【発明を実施するための形態】
【００２１】
以下、本発明の実施形態について添付図面を参照しつつ説明する。図面中の同一又は同種の部分については、同じ番号を付して説明を省略することがある。また、説明の便宜上、スライド制御盤の操作パネル面に沿う方向を水平方向、操作パネル面を横切る方向を上下方向とする。
【００２２】
図１は本発明の一実施形態に係るスライド制御盤の平面図、図２はその側面図である。このスライド制御盤１は、光表示付き操作装置であるミキサとして用いられるものであり、図示のように、スライド制御盤１の操作パネル２には、様々な音響制御のための操作部３、モニタ４等が設けられると共に、多数のスリット５が配列されている。このスライド制御盤には、各スリット５に対応してスライド操作装置１０が装着され、摘み部２４がスリット５に沿ってスライドし得るように設けられている。また、この実施形態においては、摘み部２４の位置に対応して発光表示を行なう表示器５０が各スリット５に沿って設けられている。
【００２３】
図３は、１つのスライド操作装置１０を取り出し分解した状態で示す斜視図であり、図４はスライド操作装置が多数配置されたスライド制御盤を示す縦断面図である。
【００２４】
このスライド操作装置１０は、パラメータの設定部ユニット１５と、基板４０とを備えている。設定部ユニットは、フェーダとして機能するパラメータ設定部本体２０と、該設定部本体２０及び基板４０をスライド制御盤のパネル裏面に取り付けるための取付部３０とを備えている。そして、基板４０には、パラメータの信号化及び送出や、シーン情報の受信及び伝達等、パラメータの信号処理をするための印刷回路が設けられている。
【００２５】
設定部本体２０は、細長い上部部材２１と、該上部部材２１の長辺から下方へ延びる下部部材２２とを有した躯体２５を備えている。上部部材２１は、躯体２５の上壁を構成する支持壁２１１と、該支持壁２１１の両側辺から上方へ延びる起立壁２１２とにより、横断面が角張ったＵ字状に構成されている。下部部材２２は板状であり、起立壁２１２と共に躯体２５の側面に位置した側壁を構成している。この実施形態では、躯体２５は、図示のように、側面の面積が上面の面積に対して大きく構成されている。
【００２６】
支持壁２１１には、その長手方向に沿って形成された細長い開口部２１３が形成され、該開口部２１３から連結ロッド２３が上方へ突出している。連結ロッド２３の下部は、躯体２５内でガイドシャフト２５１に摺動可能に支持されたゴンドラ（図示略）に結合されている。連結ロッド２３の上端部には、摘み部２４が固定されており、摘み部２４及び連結ロッド２３は、ゴンドラを手動操作するための操作子を構成している。躯体２５の長手方向の一端側には電動モータ２８が取り付けられ、その駆動軸は上方へ延び、上端部にプーリ２６ａが固定されている。支持壁２１１のすぐ上には、電動モータ２８と反対側の端部にプーリ２６ｂが回転自在に支持され、これらのプーリ２６ａ，２６ｂに歯付きベルト２７が巻回されており、連結ロッド２３は結合片２３１を介して歯付きベルト２７に結合されている。したがって、摘み部２４は、ゴンドラを伴って開口部２１３に沿ってスライドさせることができ、そのスライド位置は躯体２５内の位置センサによって検知される。位置センサに接続された信号線、及び電動モータ２８の駆動制御のための信号線は、フラットケーブル２９として下部部材２２から躯体２５外へ取り出され、該フラットケーブル２９は基板４０上に設けられた端子４３に接続される。したがって、摘み部２４の位置情報は、位置センサからフラットケーブル２９を通じて基板の制御部に伝えられ、制御部での駆動信号はフラットケーブル２９を通じて電動モータ２８に伝えられる。これにより、摘み部２４は、手動及びモータ駆動のいずれかにてスライドさせることができ、そのスライド位置の情報が基板４０の制御部に伝達される。制御部は、スライド位置に応じて音量、音質、エフェクト等の制御パラメータを出力し、その出力は、電子楽器や音響設備の制御装置に送られ、それにしたがった音響制御が行なわれる。
【００２７】
基板４０は、平板状の支持プレート４５に印刷回路を設け電子部品等を実装したものである。支持プレート４５の一端側には配線用開口４５１が形成されている。したがって、設定部本体２０及び基板４０を結合する際には、フラットケーブル２９を該配線用開口４５１に通し、端子４３に接続することができる。
【００２８】
基板４０には、さらに、操作子によるパラメータの設定状態を表示するための表示器５０が取り付けられている。これら基板４０及び表示器５０は、発光手段を印刷配線基板に担持させた表示装置１００を構成している。
【００２９】
この表示器５０は、基板４０の支持プレート４５に取り付けられプレート面から遠ざかる向きに光を出射する発光素子５１と、該発光素子出射された光を支持プレート４５に沿う方向（基板の広がり方向の内の上方向Ｙ）に出射させる導光体５２と、該導光体を保持する保持カバー５３とを備えている。発光素子５１は、基板の設置面に直付けされるチップ状ＬＥＤであって、例えば、２×３×２ｍｍの直方体の表面を発光部（発光面）、裏面を端子部としたものとし、基板に対する加熱源を通過することにより基板上にハンダ付けされるものとすることができる。
【００３０】
導光体５２は、図６にも示すように、透光性の柱状体により形成され、該柱状体の下端が柱状体軸線Ｊ１に対して傾斜した反射面５２１とされ、該反射面に対向する側の側面が入射面５２２とされ、該入射面５２２を発光素子５１に臨ませるようにして支持プレート４５に取り付けられている。入射面５２２から導光体５２に入射した光は該反射面５２１での反射後に柱状体側面で全反射しつつ柱状体上端面を出射面５２３として出射するように構成されている。したがって、導光体５２は、入射面５２２から入射した発光素子５１の光を支持プレート４５に沿って支持プレート４５の延長側（Ｙ方向）へ出射させる。この実施形態では、発光素子５１が、支持プレート４５の面に対して光軸Ｊ２が垂直となる方向に光を出射するので、導光体５２は反射面５２１により入射光の光路を９０度変える作用をなす。
【００３１】
導光体５２は、長手方向を縦向きにして相互に平行に並んで６個配設されており、該並び方向に沿って延びる連結部５２４に結合された状態に形成されている。この連結部５２４は樹脂による一体成形時のランナーとして形成されたものである。
【００３２】
保持カバー５３は、側壁５３５，前壁５３６，後壁５３７を有する箱形をなし、導光体５２を囲む保持部を形成しており、隣り合う導光体５２の間に位置する遮光性壁部５３０を備えている。遮光性壁部５３０は、一つの導光体に導かれる光が他の導光体へ漏れ出るのを防止する。前壁５３６には、６個の導光体５２に対応する位置に窓５３６ａが形成されており、支持プレート４５への取付状態において発光素子５１の発光部がこの窓５３６ａに対峙する。そして、導光体５２における発光素子５１に臨む面が入射面５２２となっている。また、前壁５３６の上端は、導光体５２の連結部５２４を図示の状態において下から支える位置に設けられている。６個からなる導光体５３２（導光体アッセンブリ）と、前記カバー５３とは、樹脂成形法でいうところの二色成形法で一体成形され導光体ユニットを構成する。この成形法は、特許第３６０３９５２号により開示された技術であり、導光体ユニットは、この二色成形法によって成形することにより、導光体の導孔機能（導光体の出射面を斜めから見ても発光強度が低下し難いという機能）が著しく向上する。
【００３３】
この実施形態では、保持カバー５３と６個の導光体５２が１つの表示器ユニット５５を構成しており、表示器ユニットの組立ては、連結部５２４で結合された導光体５２をまとめて持ち、保持カバー５３保持させることができるので、作業が簡便である。
【００３４】
保持カバー５３は、下部に位置決め用の突起５３１及び取り付け用のフック５３２、上部に固定フック５３３を、係止部として備えており、支持プレート４５には、これらに対応した位置に位置決め用孔４５２、係止孔４５３及び固定孔４５４が、被係止部として形成されている。したがって、導光体５２を保持した保持カバー５３は、固定フック５３３を固定孔４５４に通して上部を固定し、突起５３１を位置決め用孔４５２、フック５３２を係止孔４５に各々に位置合わせし、これらを各孔に挿入することにより、表示器ユニット５５の正確な位置決めと、支持プレート４５への固定を一度に行なうことができる。また、フック５３２を変形させて係止を解き、係止孔４５から抜くようにすれば、表示器ユニット５５を支持プレート４５から取り外すことができる。
【００３５】
この実施形態では、図６に示されているように、保持カバー５３は、支持プレート４５の面から端子４３と同じ側へ突出している。基板４０には、上記部品の他、種々の部品が装着されている。この例では、端子４３ａ，４３ｂ，４３ｃ，４３ｄ，４３ｅ、電子部品４４ａ，４４ｂ，４４ｃ，４４ｄ，４４ｅ，４４ｆ等である。そして、支持プレート４５上の保持カバー５３及び他の部品は、その突出高さが端子（例えば、端子４３）の突出高さ以内とされている。したがって、表示装置１００は、全体の高さが支持プレート４５の厚さと端子の高さを合わせた寸法に抑えられている。したがって、スライド操作装置１０を接近して並べれば、相互の間隔を小さくすることができ、スライド制御盤１をコンパクト化することができる。
【００３６】
或いは、端子又は保持カバー５３の高さによっては、端子及び支持プレート４５上の他の部品の突出高さを保持カバー５３の突出高さ以内とすることもできる。この場合には、表示装置１００は、全体の高さが支持プレート４５の厚さと保持カバー５３の高さを合わせた寸法に抑えられ、スライド操作装置１０相互の間隔を小さくすることができ、スライド制御盤１をコンパクト化することができる。
【００３７】
操作パネル２には、導光体の出射面５２３に対応した位置に透光機能を有する透孔部２ａ（図５）が形成されており、導光体５２から出射される光を該透孔部から外部へ放出するようになっている。
【００３８】
基板４０は、スライド操作装置１０における摘み部２４の位置情報に基づき、表示器５０の発光素子５１を摘み部２４の位置に対応して発光させる。これは、典型的には、図１における下から摘み部２４までの範囲を棒グラフのように発光させるように行なわれるが、摘み部２４のある位置に最も近い単一又は複数の発光素子５１のみを発光させるようにするなど、他の発光形態をとることもできる。
【００３９】
取付部３０は、以下に説明するように、操作パネル２を横切る方向に延びる延在部（この実施形態では板状体６１）を有する保持部材６０と、設定部本体２０の躯体２５に設けられたブラケット２１４とを備えている。板状体６１は、図３に示すように、パラメータ設定部本体２０と基板４０との間に位置し、これらとほぼ同じ大きさを有している。保持部材６０はまた、板状体６１の上端部から設定部本体２０側へ曲折して水平に延びた曲折部６２を有し、縦断面がＬ字状とされている。曲折部６２は、設定部本体２０の厚さとほぼ同じ距離延びた後、先端部が下方へ僅かな距離に亘って曲折されて挟持部６３を形成しており、板状体６１と協働して設定部本体２０の上端部２００を挟持する形状となっている。曲折部６２には、摘み部２４を摺動可能に受け入れるスリット６２０が形成され、その両端部を越えた位置に設定部本体２０の取り付けのための貫通孔６２１が形成されている。後述するように、曲折部６２は、ブラケット２１４上に重ねられて、スライド制御盤の操作パネルへの取り付けが行なわれる。そして、曲折部６２の上面は、操作パネル裏面に対面する対向部位６２ｔを構成する。図３に矢印で示すように、躯体２５は、対向部位６２ｔに対し交差する方向Ｔ及び前記操作子のスライド方向Ｓに延在している。
【００４０】
保持部材６０の板状体６１の上部には、スライド制御盤１の操作パネル２への固定のための結合部６４が設けられている。結合部６４は、摘み部２４（操作子）の摺動方向における一端側において、板状体６１から基板４０固定側へ突き出た第一固定片６４ａと、摘み部２４の摺動方向における他端側において曲折部６２の先端部から第一固定片６４ａとは反対側へ突き出た第二固定片６４ｂとからなっている。第一固定片６４ａ及び第二固定片６４ｂは共に水平に延び、取り付けビスを通すための貫通孔が設けられている。このようにして、結合部である第一固定片６４ａと第二固定片６４ｂとが、設定部ユニットを構成する保持部材６０に対し、操作子スライド方向Ｓの一端側と他端側において、スライド装置並列方向Uに異なる側に設けられ、いわゆる千鳥状の配置となっている。これにより、少ない結合箇所で効率的に安定した固定が可能となる。
【００４１】
結合部６４は、このように操作子スライド方向Ｓの一端側と他端側とのおのおの１箇所ずつ設ける他、各側に複数設けてもよい。すなわち、隣り合う設定部ユニット１５（又はその保持部材６０）の相互に向き合う面から対面方向に突出した結合部が、操作子スライド方向Ｓにおいて位置を異ならせて設けられており、これらの結合部が操作子スライド方向に見て少なくとも一部が重なり合って位置するように、隣り合うスライド操作装置１０が接近した配置とすることができる。これにより、スライド操作装置を密に配置し、しかも操作パネル２への固定の安定性が得られる。
【００４２】
板状体６１における基板取り付け側には、基板４０の面を当接させるための複数の舌片が設けられている。これらの舌片は、板状体６１の上端寄りの両端部に位置する舌片６１１，６１２、並びに、下端の両端部及び中央寄り部分に位置する６１３，６１４，６１５からなる。これらの舌片は、舌片の面が板状体６１の全体的な面から基板側に僅かに飛び出して位置するように板状体を折り曲げて形成されている。これは、基板４０の板状体６１側に設けられた部品やその反対側の部品から板状体６１側へ突出する取付け部が、板状体６１に接触するのを避けるためである。そして、下側の端部に位置する一つの舌片６１５を除いて、これらの舌片には基板４０を固定するための雌ねじ付き孔６１１ａ〜６１４ａが形成されている。
【００４３】
さらに、板状体６１には、上端から僅かに下方の位置に、摘み部２４の摺動方向に間隔をおいて小さい切欠き部６５及び６６が形成されている。これらの切欠き部６５及び６６は、第１の実施形態において説明した表示器ユニット５５を基板４０に取り付ける際に、基板の裏面側に突出する部分を受け入れるものである。すなわち、図６に示した表示器ユニット５５は、基板４０への固定の際に、位置決め用の突起５３１及び固定フック５３３が基板４０を貫通して裏面側に突出するので、この突出部分を受け入れるために、板状体６１に切欠き部６５及び６６が位置決め用の突起５３１及び固定フック５３３に対応した位置で窓状に設けられている。また、板状体６１の中央部の３箇所には、軽量化及び基板の放熱のための切欠き６７が形成されている。
【００４４】
保持部材６０の板状体６１、曲折部６２及び結合部６４は、１枚の金属板の板金加工によって形成されており、板金の打ち抜き、曲げ加工等により、上記の各部分が形成されている。板状体６１における第一固定片６４ａの下方部分は、このような板金加工による第一固定片６４ａの形成を可能とするように、切り欠かれている。
【００４５】
設定部本体２０の上部部材２１には、摘み部２４の摺動方向の両端部付近に、水平に延びるブラケット２１４が設けられており、該ブラケット２１４に雌ねじ付き孔２１４ａが形成されている。
【００４６】
このスライド操作装置の組み立て時には、曲折部６２が設定部本体２０上端部のブラケット２１４を覆い、挟持部６３と板状体６１とで該上端部２００を挟持する。そして、曲折部６２に設けられた貫通孔６２１に通したビスを、上部部材２１のブラケット２１４の雌ねじ付き孔２１４ａに螺合させる。こうして取付部３０により、設定部本体２０は板状体６１の一方の側に保持された状態となる。
【００４７】
次に、基板４０を板状体６１に固定する。これは、基板４０における電子部品を装着した側とは反対側の面を、板状体６１の舌片６１１〜６１５にあてがい、基板４０に設けられた貫通孔４７を通して、舌片６１１〜６１４の雌ねじ付き孔６１１ａ〜６１４ａにビスを螺合させることにより行なう。下部の舌片６１５には、雌ねじ付き孔が形成されていないが、固定は他の孔でのねじ止めにより行なわれるので、該舌片６１５は板状体６１に当接することにより位置決めの役割りをなす。なお、基板４０の裏面には、前述のように表示器ユニット５５の突起５３１及び固定フック５３３が突出しているので、該突出部分が板状体６１の孔部６５及び６６に受け入れられる位置で基板４０を板状体６１にあてがうことにより、位置決めを容易に行なうことができる。このようにして、取付部３０により、板状体６１の一方の面及び他方の面の側に設定部本体２０及び基板４０が各々保持された状態となる。
【００４８】
スライド制御盤には、この状態の取付部３０を操作パネル２に取り付けるために以下に説明する支持部７０が備えられている。図７は操作パネル２の一部を裏面側から見た状態で示し、図８は図７に示された支持部７０を中心に示す拡大図である。図７の表示面における操作パネル２の下部が、図８の表示面における操作パネル２の上部に相当する。図７に示すように、操作パネル２には、並列するスライド操作装置１０の各々に対応してスリット２ｓ及び細長い窓部２ｗが設けられている。スリット２ｓは、連結ロッド２３（操作子）をスライド可能に通すものであり、連結ロッド２３のスライド範囲に亘って細長く延びている。窓部２ｗはスライド操作装置１０の表示器５０における光出射側の端部を通すためのものであり、導光体５２の並び方向に沿って延びている。
【００４９】
支持部７０は、個々のスライド操作装置１０の長手方向両端部から僅かな距離をおいた２箇所に配置されており、各々の箇所でスライド操作装置１０の並列方向に延びている。この支持部７０は、操作パネル２に固着されたベース部７１と、該ベース部に設けられ個々のスライド操作装置１に結合される複数の支承部７２とを備えている。ベース部７１は複数の前記スライド操作装置１０に対して共通に用いられ、支承部７２はスライド操作装置１０に対して個別に結合される。
【００５０】
図７に示すように、操作パネル２のスライド操作装置並列方向に延びる縁部２ａは、操作子が配置される広い面積のフラット部２ｆと、該フラット部２ａから裏面側へ曲げられて帯状に延びる曲折部２ｇとを備えている。操作パネル２の縁部２ａ付近に取り付けられた支持部７０ａは、ベース部７１が、これらのフラット部２ｆ及び曲折部２ｇに沿うように平坦部７１ｆ及び起立部７１ｇを備えて断面Ｌ字状をなし、複数のスライド操作装置１０に亘る長さで連続的に延びている。平坦部７１ｆは、相互に間隔をおいて形成された幅広部分７１１においてスポット溶接による溶接部７１２で、操作パネル２に固着されている。支承部７２は、ベース部７１の長手方向に相互に間隔をおいて設けられ、起立部７１ｇの縁部から平坦部７１ｆと同じ側へ延びている。支承部７２は、スライド操作装置１０の並列間隔と同じ間隔で設けられており、スライド操作装置１０における結合部６４の第一固定片６４ａに対応した位置で操作パネル２に固着されている。支承部７２先端部には、取り付け用の雌ねじ付き孔７２１が形成されている。
【００５１】
縁部２ａとは反対側の支持部７０ｂも、支持部７０ａと同じ構造を有しており、平坦部７１ｆの幅広部分７１１において溶接部７１２で操作パネル２に固着されている。支持部７０ｂの支承部７２は、スライド操作装置１０における結合部６４の第二固定片６４ｂに対応した位置で操作パネル２に固着されている。
【００５２】
取付部３０によりスライド操作装置１０を操作パネル２に取り付けた状態が図４に示されている。図４には、３つのスライド操作装置１０が示されており、その右側２つについては、支承片２ａ、第一固定片６４ａ、第二固定片６４ｂが明確に現れるように、スライド制御盤上部の領域Ｓ１，Ｓ２，Ｓ３が切断面を異ならせた断面を示している。これらの領域Ｓ１，Ｓ２，Ｓ３の切断面の位置を、図３の保持部材６０に各々Ｘ１，Ｘ２，Ｘ３として示す。図４は、基板４０を一点鎖線で表すと共に、その上部を切り欠いて示している。摘み部２４は、左側２つについて一点鎖線で示し、右側のものでは図示を省略している。
【００５３】
支持部７０ａ，７０ｂの各支承部７２は、保持部材６０の曲折部６２を操作パネル２裏面に当接したときに、第一固定片６４ａ及び第二固定片６４ｂに当接するか直近位置に至るように配置されている。したがって、保持部材６０の曲折部６２を操作パネル２裏面にあてがい、第一固定片６４ａ及び第二固定片６４ｂを各々支持部７０ａ，７０ｂの支承部７２にあてがって、各固定片に設けられた貫通孔を通して取り付けビス（固着手段）８０を支承部７２の雌ねじ付き孔７２１に螺合することにより、スライド操作装置１０を操作パネル２に固定することができる。これにより、取付部３０を操作パネル２の裏面に確実に固定することができる。その結果、設定部本体２０及び基板４０は、取付部３０を介して操作パネル２に堅固に固定されることとなる。
【００５４】
前述の通り、隣り合う設定部ユニット１５（又はその保持部材６０）の相互に向き合う面から突出した結合部６４はが、操作子スライド方向において位置を異ならせて設けられており、これらの結合部６４が操作子スライド方向に見て一部が重なり合って位置するように、隣り合うスライド操作装置１０が接近して配置されている。図４Ａは、図４におけるその配置部分を中心に拡大して示している。図４Ａに示すように、最も右側のスライド操作装置１０の第二固定片６４ｂと、中央のスライド操作装置１０の第一固定片６４ａ（一点鎖線）とが、操作子スライド方向（図の表示面に垂直な方向）に見て一部（範囲Ｖ）が重なり合って位置している。これにより、スライド操作装置の密な配置と、操作パネル２への安定した固定が可能となる。この密な配置は、第一固定片６４ａ（６４）と第二固定片６４ｂ（６４）とが突出長全体に亘って重なり合うまで接近させた配置とすることができる。
【００５５】
その取り付け作業は、操作パネル２の裏面側で行なうことができるので、例えば、操作パネル２を上下逆向きに置いて、スライド操作装置１０を操作パネル２のスリットに位置合わせする作業から操作パネル２への固定までを一貫してパネル裏面から行なうことができ、極めて作業性が良い。また、取り付けビスがパネル表面から見えないという利点が得られる。
【００５６】
また、基板４０の接地やＥＭＩ対策を必要とされる場合は、板状体６１に金属部分を設けることにより、確実且つ容易に接地又はＥＭＩへのシールドが可能となる。
【００５７】
この実施形態では、操作パネル２は表面を樹脂製のシート２ｃで覆われている。このシート２ｃはパネル面に耐久性と装飾性とを付与することができる。また、貫通孔６２１を経て雌ねじ付き孔２１４ａに螺合させたビスの頭部が操作パネル２から突出する高さを、シート２ｃの厚さ以下とすることにより、操作パネル面からビスが突出するのが回避される。特に、操作パネル２からのビス頭部の突出高さをシート厚と同一とし、ビス頭部の径と同じ孔をシート２ｃに設けることにより、操作パネルの表面を平滑な面とすることができる。
【００５８】
次に、本発明の第２の実施形態に係るスライド制御盤に用いられるスライド操作装置について説明する。図９はそのスライド操作装置１０Ａを分解して示す斜視図である。
【００５９】
このスライド操作装置１０Ａが先の実施形態に示したスライド操作装置１０と異なるのは、以下の点である。すなわち、スライド操作装置１０Ａは、保持部材６０を備えず、スライド操作装置１０Ａ自体がスライドユニット１５を構成している。操作パネル２への取付けのための結合部３５は、設定部本体２０Ａにおける躯体２５の上部部材２１に設けられている。また、設定部本体２０Ａと基板４０Ａとの結合は、設定部本体２０Ａに設けられた下部保持部３１及び上部保持部３２と、基板４０Ａに設けられた下部係合部４１及び上部係合部４２によって行なわれている。以下、これらの点を中心に説明する。
【００６０】
設定部本体２０Ａに設けられた下部保持部３１は、躯体２５の長手方向中央部において水平に突出した係止板３１１に細長い係止孔３１２が形成されたものであり、上部保持部３２は起立壁２１２の長手方向両端部に形成された雌ねじ付き孔３２１と、これに螺合する止めねじ３２２とで構成されている。
【００６１】
基板４０Ａには、これらの保持部に対応した位置に下部係合部４１及び上部係合部４２が設けられている。下部係合部４１は、支持プレート４５の下端における中央部に舌片４１１として形成されている。支持プレート４５における舌片４１１の両側に位置する部分は切欠き４１２が形成されることにより、舌片４１１は切欠き４１２の上端部より下方へ突出した形状とされている。上部係合部４２は、支持プレート４５の長手方向両端部における上部に形成された貫通孔４２１として形成されている。
【００６２】
結合部３５である第一固定片３５ａと第二固定片３５ｂ（図９参照）とは、設定部本体２０Ａの躯体２５に対し、操作子スライド方向Ｓの一端側と他端側において、スライド装置並列方向Uに異なる側に設けられている。これにより、少ない結合箇所で効率的に安定した固定が可能となる。この実施形態においても、結合部３５は、このように操作子スライド方向Ｓの一端側と他端側とのおのおの１箇所ずつ設ける他、各側に複数設けてもよい。すなわち、隣り合う設定部本体２０Ａの相互に向き合う面から突出した結合部が、操作子スライド方向Ｓにおいて位置を異ならせて設けられており、これらの結合部が操作子スライド方向に見て少なくとも一部が重なり合って位置するように、隣り合うスライド操作装置１０が接近した配置とすることができる。これにより、スライド操作装置を密に配置し、しかも操作パネル２への固定の安定性が得られる。
【００６３】
図９に示した状態にある設定部本体２０Ａ及び基板４０Ａを結合するには、下部係合部４１の舌片４１１を下部保持部３１の係止孔３１１に挿入し、支持プレート４５を設定部本体２０の側壁に近づけ、上部係合部４２の貫通孔４２１を上部保持部３２の雌ねじ付き孔３２１に合わせ、止めねじ３２２を支持プレート４５側から貫通孔４２１に通して雌ねじ付き孔３２１へ螺合し、締結すればよい。
【００６４】
結合部３５は、摘み部２４（操作子）の摺動方向における一端側において、上部部材２１から基板４０固定側へ突き出た第一固定片３５ａと、摘み部２４の摺動方向における他端側において上部部材２１から第一固定片３５ａとは反対側へ突き出た第二固定片３５ｂとからなっている。第一固定片３５ａ及び第二固定片３５ｂは共に水平に延び、取り付けビスを通すための貫通孔が設けられている。操作パネル２には、第一固定片３５ａ及び第二固定片３５ｂに対応した位置に図８に示した支持部７０の支承部７２が配設される。
【００６５】
この構造に基づき、結合部３５は、操作パネル２への結合時に、先の実施形態における結合部６４と同様に用いられ、図７及び図８に示した支持部７０と同様の支持部に対して結合される。そして、ブラケット２１４の上面が、該パネル裏面に対面する対向部位２１４ｔとなる。スライド操作装置１０Ａを操作パネル２に取り付ける際には、設定部本体２０Ａのブラケット２１４上面を操作パネル２裏面にあてがい、第一固定片３５ａ及び第二固定片３５ｂを各々図８に示した支承部７２にあてがって、各固定片に設けられた貫通孔を通して取り付けビス（固着手段）を支承部の雌ねじ付き孔に螺合すればよい。その取り付け作業は、操作パネル２の裏面側で行なうことができ、極めて作業性が良く、また、取り付けビスがパネル表面から見えないという利点が得られる。
【００６６】
以上、本発明の実施形態について説明したが、本発明はこれらに限定されるものではなく、その趣旨を逸脱しない限りにおいて上記の他、種々の変更が可能である。
【００６７】
例えば、第１の実施形態における保持部材６０の曲折部６２及び挟持部６３は、摘み部２４摺動方向に連続的に延びたものを示したが、該方向に間隔をおいて断続的に延びるものとすることもできる。但し、曲折部６２を連続的に延びる形態とすることにより、保持部材６０の剛性を高めることができ、さらに挟持部６３を連続的に延びる形態とすることにより、保持部材６０の剛性をより高くすることができる。
【００６８】
操作パネル２裏面に対面する対向部位は、図１０に示す形態とすることができる。ここでは、ブラケット２１４の上面から上方へ延びる突起２１４ｂが曲折部６２に設けられた孔６２ｂを貫通して曲折部６２から上方へ僅かに突出している。したがって、これらの突起２１４ｂによって対向部位２１４ｔが形成されている。
【００６９】
また、図１に一点鎖線で示すように、スライド制御盤１にディスプレー４ｐのための窓状の開口２ｐが設けられると、該開口によって操作パネル２の強度が低下するが、支持部７０のベース部７１は、スライド操作装置１０の並列方向に延びるように設けられるので、操作パネルにおける該並列方向の補強をなす。その結果、開口部付近にスライド操作装置１０を取付けることも可能となり、スライド制御盤における配置設計の自由度が高まる。
【００７０】
さらに、図４の下部に一点鎖線で示すように、取付部３０の平面状部材６１に保持された支持プレートを操作パネル２から遠ざかる方向へ支持プレート４５’として示す位置まで拡張し、該拡張部分に電子部品４４’等を実装して付加基板Ｐを形成することもできる。この付加基板に、スライド制御盤の他のスライド操作装置や制御装置の制御等の機能を持たせることにより、同機能のために別個の基板を取り付ける場合に比べて、部品点数を少なくすることができる。このように、設定部本体の保持に必要な領域を越えて支持プレートを拡張することにより、基板の回路設計の自由度を増すことができるという利点も得られる。
【００７１】
上記の各実施形態に示したスライド操作装置は、操作パネルが水平に近い状態に設置される形態のものであるが、この他、操作パネルの一部または全体が水平面に対して大きな傾斜角で設置されるものや、垂直に近い設置状態で使用されるものもある。本発明は、設置の向きを問わず適用できるものであり、上記実施形態に示された構造を、水平状態からかけ離れた傾斜状態で設置されるものへと変更する場合は、実施形態の説明について、スライド操作装置における上側は操作パネルに近い側、下側は操作パネルから遠ざかる側と読み替えられるべきである。
【符号の説明】
【００７２】
１：スライド制御盤、    ２：操作パネル、    １０，１０Ａ，１０Ｂ：スライド操作装置、    １５：設定部ユニット、    ２０，２０Ａ，２０Ｂ：設定部本体、    ２３：連結ロッド（操作子）、    ２４：摘み部（操作子）、    ２５：躯体、    ３０：取付部、    ３５：結合部、    ４０，４０Ａ：基板、    ５０：表示器、    ６０：保持部材、    ６１：板状体（延在部）、    ６４：結合部、    ７０：支持部、    ７１：ベース部、    ７２：支承部、    ８０：取り付けビス（固着手段）
【図１】
2010226316.tif 000003
【図２】
2010226316.tif 000004
【図３】
2010226316.tif 000005
【図４】
2010226316.tif 000006
【図４Ａ】
2010226316.tif 000007
【図５】
2010226316.tif 000008
【図６】
2010226316.tif 000009
【図７】
2010226316.tif 000010
【図８】
2010226316.tif 000011
【図９】
2010226316.tif 000012
【図１０】
2010226316.tif 000013